(57)【特許請求の範囲】
【請求項１】
射出成形機と、該射出成形機に接続される周辺機器とから構成される射出成形システムであって、
前記周辺機器が備えた周辺機器識別情報を実周辺機器識別情報として前記周辺機器から取得する周辺機器識別情報取得手段と、
成形条件と該成形条件に対応した周辺機器識別情報を記憶周辺機器識別情報として記憶する周辺機器識別情報記憶手段と、
成形条件を指定する成形条件指定手段と、
前記成形条件指定手段で指定された成形条件に対応する記憶周辺機器識別情報を読み出す周辺機器識別情報読み出し手段と、
前記実周辺機器識別情報と、読み出した前記記憶周辺機器識別情報とを比較する比較手段と、
該比較手段の比較結果を出力する比較結果出力手段と、を有し、
前記比較結果出力手段は、前記比較手段による比較結果が不一致である場合に、前記実周辺機器識別情報に対応する成形条件が、前記周辺機器識別情報記憶手段に記憶されている場合に、当該成形条件を出力する
ことを特徴とする射出成形システム。
【発明の詳細な説明】
【技術分野】
【０００１】
本発明は射出成形システムに関し、特に射出成形機の周辺機器を識別することが可能な射出成形システムに関する。
【背景技術】
【０００２】
樹脂材料等を用いて射出成形機で成形品を成形する場合、射出成形機本体の他に、金型、成形材料、周辺機器が必要となる。周辺機器は、射出成形機本体に接続される機器であり、樹脂を乾燥する樹脂乾燥機、樹脂を搬送する樹脂ローダ、金型の温度を一定に維持する金型温調機、成形品を取り出すための成形品取出機等がある。射出成形機の制御部には、射出成形機を制御するためのプログラムが格納されるとともに、射出成形機に接続される周辺機器を制御するためのプログラムについても格納されている。
【０００３】
射出成形機に接続される周辺機器は、成形品の違い、金型の違い、樹脂の違い、成形後の後工程の違いなどの成形に関する様々な要因の違いに応じて、異なる周辺機器が用いられる。周辺機器を使用する技術としては、以下の特許文献に開示されているような技術がある。
【０００４】
特許文献１には、射出成形機本体に搭載されたコントローラに、周辺機器に指令を与えるプログラムを備え、射出成形機側で周辺機器の操作を行うことができる射出成形機の制御システムの技術が開示されている。
特許文献２には、射出成形機を制御する成形機システムにおいて、周辺機器の情報を検出してグラフで表示するグラフ表示部と、情報を数値で表示する数値表示部とを備えて、グラフや数値で特定の情報を表示する技術が開示されている。
【０００５】
特許文献３には、射出成形機において、金型ごとに金型を使用して成形する成形品の成形条件を記憶する成形条件記憶手段を備え、成形条件記憶手段に金型コードごとにノート記憶部を設けて、金型を使用して成形作業を行う上で参考となる情報を入力してノート記憶部に設定記憶させる技術が開示されている。
特許文献４には、射出成形機の制御装置から通信回線を通じて周辺機器に対して、周辺機器を特定するための識別コードといっしょにデータを送出し、周辺機器は受信した識別コードが自己の識別コードと一致したときのみデータを受信して射出成形機と通信を行う技術が開示されている。
【先行技術文献】
【特許文献】
【０００６】
【特許文献１】特開２００６−８８５５８号公報
【特許文献２】特開２００４−１５５１１７号公報
【特許文献３】特開平４−１１５９２２号公報
【特許文献４】特開平１−２２５５２７号公報
【発明の概要】
【発明が解決しようとする課題】
【０００７】
特許文献１に開示されている技術は、射出成形機によって周辺機器を制御する技術ではあるものの、周辺機器が本来の周辺機器と異なっている場合の対処等については記載されていない。
特許文献２及び３に開示されている技術は、周辺機器の状態を検出したり、周辺機器の情報の記録は行っているものの、射出成形機から周辺機器に対して情報を送信するものではない。
【０００８】
特許文献４に開示されている技術は、射出成形機に複数の周辺機器を接続して、射出成形機から送信されてくる情報の中から、周辺機器の自己の識別コードに対応したときにデータを受信するものである。特許文献４に開示されている技術では、送信されてくる識別コードが自己の識別コードと対応しているときにデータを受信するという判断はしているものの、接続されている周辺機器が適切かどうかという判断は行っていない。
【０００９】
ここで、射出成形機と周辺機器との組み合わせは、生産する成形品や生産現場の状況によって変更されるが、射出成形機と周辺機器の組み合わせが不適切な場合、成形の安定性や生産効率に影響を及ぼすことがある。
【００１０】
そこで本発明は、射出成形システムにおいて、不適切な射出成形機と周辺機器との組み合わせで成形が行われることを防ぐことを目的とする。
【課題を解決するための手段】
【００１１】
本願の請求項１に係る発明では、射出成形機と、該射出成形機に接続される周辺機器とから構成される射出成形システムであって、前記周辺機器が備えた周辺機器識別情報を実周辺機器識別情報として前記周辺機器から取得する周辺機器識別情報取得手段と、成形条件と該成形条件に対応した周辺機器識別情報を記憶周辺機器識別情報として記憶する周辺機器識別情報記憶手段と、成形条件を指定する成形条件指定手段と、前記成形条件指定手段で指定された成形条件に対応する記憶周辺機器識別情報を読み出す周辺機器識別情報読み出し手段と、前記実周辺機器識別情報と、読み出した前記記憶周辺機器識別情報とを比較する比較手段と、該比較手段の比較結果を出力する比較結果出力手段と、を有し、前記比較結果出力手段は、前記比較手段による比較結果が不一致である場合に、前記実周辺機器識別情報に対応する成形条件が、前記周辺機器識別情報記憶手段に記憶されている場合に、当該成形条件を出力することを特徴とする射出成形システムが提供される。
【００１２】
請求項１に係る発明では、射出成形機に接続されている周辺機器の周辺機器識別情報と、指定された成形条件に対応する、記憶手段に記憶されている周辺機器識別情報を比較して、比較結果を出力することによって、指定された成形条件と周辺機器の組み合わせが適切か否かを確認でき、不適切な周辺機器を使用することによる成形不良の発生を防止することが可能となる。
また、比較結果が一致しない場合に、実周辺機器識別情報に対応する成形条件が、周辺機器識別情報記憶手段に記憶されている場合に、当該成形条件を出力することによって、操作者に確実に不一致であることを報知し、正しい成形条件の推測を行うことが可能となる。
【発明の効果】
【００１４】
本発明により、射出成形システムにおいて、不適切な射出成形機と周辺機器との組み合わせで成形が行われることを防ぐことが可能となる。
【図面の簡単な説明】
【００１５】
【図１】本発明の実施形態の構成を示すブロック図である。
【図２】記憶手段に記憶されている情報の形式を示した図である。
【図３】成形条件と周辺機器識別情報との組の登録や修正の画面の例を示した図である。
【図４】本発明の実施形態の動作の流れを示すフローチャートである。
【図５】周辺機器の識別情報と、記憶手段から読みだした成形条件と周辺機器識別情報とを比較した結果を表示した例を示した図である。
【図６】本発明の別の実施形態の動作の流れを示すフローチャートである。
【発明を実施するための形態】
【００１６】
以下、本発明の実施形態について図面に基づいて説明する。図１は、本発明の実施形態の構成を示すブロック図である。射出成形機１０内に、識別情報取得手段１２、記憶手段１４、識別情報読み出し手段１６、比較手段１８と、比較結果出力手段２０を備えている。識別情報取得手段１２は、射出成形機１０に接続されている周辺機器の識別情報（実周辺機器識別情報）を取得する。記憶手段１４には、後述するように成形条件と周辺機器の識別情報（記憶周辺機器識別情報）とが組み合わせの形で記憶されている。本実施形態における成形条件は、所望の成形品を成形するために、射出成形機１０に設定する位置、速度、圧力、温度等の設定値や、金型名称、製品名称、樹脂名称など、その成形品に関わるさまざまな設定値や情報等が含まれる。識別情報読み出し手段１６は、記憶手段１４に記憶されている記憶周辺機器識別情報を成形条件をもとに読み出す手段である。
【００１７】
識別情報取得手段１２は、具体的には、射出成形機１０の画面上に設けられた周辺機器情報の入力手段でもよいし、射出成形機１０に接続された、図示しないバーコードリーダやパソコンなどの外部入力機器や周辺機器そのものでもよい。バーコードリーダを用いる場合には、周辺機器識別情報をコード化したバーコードを、それぞれの周辺機器に貼り付けておき、このバーコードを読み取ればよい。また、パソコンの場合には、周辺機器の周辺機器識別情報をあらかじめ記憶しておき、記憶された周辺機器のリストの中から対象の周辺機器を選択し、選択された周辺機器に対応する周辺機器識別情報を射出成形機に通信回線等を通じて入力してもよい。さらに、周辺機器識別情報を周辺機器から取得する場合には、射出成形機と周辺機器を通信回線で接続して、周辺機器が持つ周辺機器識別情報を取得すればよい。
【００１８】
比較手段１８は、成形条件をもとに記憶手段１４から読み出した周辺機器の識別情報（記憶周辺機器識別情報）と、識別情報取得手段１２で取得した、射出成形機１０に現在接続されている周辺機器の識別情報（実周辺機器識別情報）とを比較する手段である。そして、比較手段１８で比較された比較結果は、比較結果出力手段２０において出力される。
【００１９】
図２は、記憶手段１４に記憶されている情報の形式を示している。図２に示されているようにそれぞれの成形条件１〜ｍに対応して周辺機器識別情報（記憶周辺機器識別情報）が記憶されている。また、図３は成形条件と周辺機器識別情報の組を新規に登録したり、すでに記憶されている成形条件と周辺機器識別情報の組を修正する際の画面の例を示している。
【００２０】
画面の上部には、成形条件番号が示されており、下部には、現在の成形条件として、金型名称、製品名称、樹脂名称、射出速度、保圧、背圧、ノズル温度、バレル温度が示されており、上部の成形条件番号に対応する成形条件として記憶される。下部の右側には、そのときの周辺機器識別情報として、金型温調機のＩＤ番号と、樹脂乾燥機のＩＤ番号が表示されている。この状態において、上部の記憶ボタンを押すと、成形条件番号が新規の番号の場合には、図２に示されている記憶手段１４に記憶されている成形条件と周辺機器識別情報（記憶周辺機器識別情報）の組に、今回の成形条件と周辺機器識別情報の組が新規に登録され、成形条件番号が既存の番号の場合には、すでに記憶手段１４に記憶されている成形条件と周辺機器識別情報の組が、今回の成形条件と周辺機器識別情報に修正されて記憶される。
【００２１】
図４は、本実施形態の動作の流れを示すフローチャートである。以下ステップごとに説明する。
・（ステップＳＡ１）射出成形機の今回の成形の成形条件番号ｋを指定する。
・（ステップＳＡ２）指定された成形条件番号ｋに対応する記憶周辺機器識別情報を、記憶手段１４に記憶されている記憶周辺機器識別情報から読み出す。
【００２２】
・（ステップＳＡ３）読み出した記憶周辺機器識別情報と、識別情報取得手段１２で読み出した現在接続されている周辺機器の識別情報（実周辺機器識別情報）とを、比較手段１８において比較する。
・（ステップＳＡ４）比較の結果、２つの識別情報が一致するかどうかを判定する。一致した場合（ＹＥＳ）は終了し、一致しない場合（ＮＯ）はステップＳＡ５に進む。
・（ステップＳＡ５）警告を表示して終了する。警告としては、ブザーなどの音による警告や、警告灯などの光による警告で不一致であるという信号を出力することもできるし、具体的な周辺機器識別情報の相違点や、不一致が生じた周辺機器の名称や型式を、画面にメッセージ等で表示するようにしてもよい。
【００２３】
図５は、識別情報取得手段１２で取得した、射出成形機１０に接続されている現在の周辺機器の識別情報（実周辺機器識別情報）と、識別情報読み出し手段１６で記憶手段１４から読み出した成形条件と記憶周辺機器識別情報とを、比較手段１８において比較した結果を表示した例である。画面の上部には、識別情報取得手段１２で取得した現在の実周辺機器識別情報として、金型温調機のＩＤ番号と、樹脂乾燥機のＩＤ番号が表示されている。画面の下部には、指定された成形条件番号ｋに対応した成形条件として、金型名称、製品名称、樹脂名称、射出速度、保圧、背圧、ノズル温度、バレル温度が示されており、周辺機器識別情報として、金型温調機のＩＤ番号と、樹脂乾燥機のＩＤ番号が表示されている。ここで、上部に示されている現在の実周辺機器識別情報と、下部に示されている、指定された成形条件番号に対応した記憶周辺機器識別情報とを比較して、両者が一致するかどうかを判定する。
【００２４】
識別情報取得手段１２で読み出した現在接続されている実周辺機器識別情報と、識別情報読み出し手段で読み出した記憶手段１４に記憶されている記憶周辺機器識別情報とが一致しない場合には、接続されている周辺機器が異なっている場合だけではなく、指定した成形条件が異なっている場合も考えられる。図６は、その場合も考慮した実施形態の動作の流れを示すフローチャートである。以下ステップごとに説明する。
【００２５】
・（ステップＳＢ１）射出成形機の今回の成形の成形条件番号ｋを指定する。
・（ステップＳＢ２）指定された成形条件番号ｋに対応する記憶周辺機器識別情報を、記憶手段１４に記憶されている記憶周辺機器識別情報から読み出す。
・（ステップＳＢ３）読み出した記憶周辺機器識別情報と、識別情報取得手段１２で読み出した現在接続されている周辺機器の識別情報（実周辺機器識別情報）とを、比較手段１８において比較する。
・（ステップＳＢ４）比較の結果、２つの識別情報が一致するかどうかを判定する。一致した場合（ＹＥＳ）は終了し、一致しない場合（ＮＯ）はステップＳＢ５に進む。
・（ステップＳＢ５）周辺機器が正しくない可能性がある旨の警告を表示する。
【００２６】
・（ステップＳＢ６）識別情報取得手段１２で読み出した現在接続されている周辺機器の識別情報（実周辺機器識別情報）に対応する成形条件番号と成形条件を記憶手段１４内で検索する。
・（ステップＳＢ７）検索した結果、記憶手段１４内に成形条件番号と成形条件が存在するかどうかを判定する。存在する場合（ＹＥＳ）はステップＳＢ８に進み、存在しない場合（ＮＯ）はステップＳＢ９に進む。
・（ステップＳＢ８）記憶手段１４内で検索された成形条件の候補を表示して終了する。
・（ステップＳＢ９）周辺機器が一致していない旨の警告を表示して終了する。
【符号の説明】
【００２７】
１０  射出成形機
１２  識別情報取得手段
１４  記憶手段
１５  成形条件指定手段
１６  識別情報読み出し手段
１８  比較手段
２０  比較結果出力手段
【図１】
0006363521.tif 000002
【図２】
0006363521.tif 000003
【図３】
0006363521.tif 000004
【図４】
0006363521.tif 000005
【図５】
0006363521.tif 000006
【図６】
0006363521.tif 000007